(57)【要約】【課題】複数の無線通信装置へ多重化してデータフレームを送信する際であっても、ＴＸＯＰの期間中にデータフレームを連続して送信することを可能とし、ＭＡＣ効率を向上させることを可能にする。【解決手段】本発明の実施形態に係る無線通信装置は、第１データフレームおよび第２データフレームを多重化して送信する送信手段と、前記第１データフレームに対する第１送達確認フレームおよび前記第２データフレームに対する第２送達確認フレームを受信する受信手段と、前記送信手段を制御する制御手段とを備える。前記制御手段は、前記第１送達確認フレームの受信を完了するタイミングと前記第２送達確認フレームの受信を完了するタイミングとが同期するように、前記第１データフレームとその送信方法および前記第２データフレームとその送信方法を制御する。【選択図】  図２
2015057918.tif 000002
【特許請求の範囲】
【請求項１】
第１データフレームおよび第２データフレームを多重化して送信する送信手段と、
前記第１データフレームに対する第１送達確認フレームおよび前記第２データフレーム
に対する第２送達確認フレームを受信する受信手段と、
前記送信手段を制御する制御手段とを備え、
前記制御手段は、前記第１送達確認フレームの受信を完了するタイミングと前記第２送
達確認フレームの受信を完了するタイミングとが同期するように、前記第１データフレー
ムとその送信方法および前記第２データフレームとその送信方法を制御し、
前記第１送達確認フレームとその返信方法は、前記第１データフレームとその送信方法
から決定され、
前記第２送達確認フレームとその返信方法は、前記第２データフレームとその送信方法
から決定される無線通信装置。
【発明の詳細な説明】
【技術分野】
【０００１】
本発明は、無線通信装置に関するものである。
【背景技術】
【０００２】
無線ＬＡＮの代表的な標準規格であるＩＥＥＥ８０２．１１では、ＣＳＭＡ／ＣＡ（Ｃ
ａｒｒｉｅｒ  Ｓｅｎｓｅ  Ｍｕｌｔｉｐｌｅ  Ａｃｃｅｓｓ  ｗｉｔｈ  Ｃｏｌｌｉｓ
ｉｏｎ  Ａｖｏｉｄａｎｃｅ）方式が採用されている。
【０００３】
ＣＳＭＡ／ＣＡ方式では、各無線通信装置は、キャリアセンスを行って、使用するチャ
ネルが一定時間以上連続して空き状態（Ｉｄｌｅ）であることを確認してから、データフ
レームの送信を行う。
【０００４】
一方、データフレームの受信側である無線通信装置は、データフレームを正常に受信し
た場合には、所定期間（ＳＩＦＳ（Ｓｈｏｒｔ  Ｉｎｔｅｒ  Ｆｒａｍｅ  Ｓｐａｃｅ）
）後に、データフレームを正常に受信できた旨を通知するための送達確認フレームを返信
する。なお、送達確認フレームとは、ＡＣＫフレームや、Ｂｌｏｃｋ  ＡＣＫフレーム、
ＣＴＳフレーム等である。受信側の無線通信装置は、受信したデータフレームの種別に応
じて異なる送達確認フレームを返信する。
【０００５】
また、無線通信技術の１つとして、空間分割多重方式（ＳＤＭ（Ｓｐａｃｅ  Ｄｉｖｉ
ｓｉｏｎ  Ｍｕｌｔｉｐｌｅｘｉｎｇ）方式）がある。ＳＤＭ方式では、送信側の無線通
信装置は、アダプティブアレイアンテナ等を用いて、指向性を有する電波を形成し、同時
かつ同一周波数で、複数の無線通信装置へ異なる電波を送信する（空間的に多重化する）
。即ち、ＳＤＭ方式では、送信側の無線通信装置（例えば、アクセスポイント）は、複数
の無線端末に対して、それぞれ異なるデータフレームを、同時かつ同一周波数で送信する
ことができる。
【０００６】
しかしながら、ＩＥＥＥ８０２．１１規格に準拠する無線ＬＡＮシステムにおいて、Ｓ
ＤＭ方式を採用した場合、アクセスポイントが、一方の無線端末へデータフレームを送信
している間に、他方の無線端末から送達確認フレームを受信してしまう状況（衝突）が発
生しうる。
【０００７】
以下に、上記衝突が発生する状況を説明する。
【０００８】
まず、アクセスポイントは、ＳＤＭ方式によって同時かつ同一周波数で、複数の無線端
末に対して異なるデータフレームの送信を開始するものとする。無線端末ＳＴＡ１に対し
て送信するデータフレームのサイズが、他の無線端末に対して送信するデータフレームの
サイズに比較して大きいと、アクセスポイントは、無線端末ＳＴＡ１へのデータフレーム
の送信中に、無線端末ＳＴＡ１以外の他の無線端末へのデータフレーム送信を完了するこ
とがある。このとき、無線端末ＳＴＡ１以外の他の無線端末から送達確認フレームが返信
されるため、アクセスポイントは、無線端末ＳＴＡ１へのデータフレームの送信中である
にも関わらず、無線端末ＳＴＡ１以外の他の無線端末からの送達確認フレームを受信して
しまう状況（衝突）が発生しうる。このように、ＩＥＥＥ８０２．１１規格に準拠する無
線ＬＡＮシステムにおいて、ＳＤＭ方式を採用した場合、アクセスポイントは、送達確認
フレームの受信ができなくなるという問題があった。
【０００９】
この問題を解決する方法として、ＳＤＭ方式によって同時かつ同一周波数で、複数の無
線端末に対して異なるデータフレームの送信を行った場合には、複数の無線端末から送達
確認フレームの返信が開始されるタイミングを同期させる技術が開示されている（例えば
、特許文献１。）。
【００１０】
この特許文献１に開示されている技術では、ＩＥＥＥ８０２．１１規格に準拠する無線
ＬＡＮシステムにおいて、ＳＤＭ方式を採用した場合であっても、衝突の発生を抑制する
ことができる。
【００１１】
ここで、ＩＥＥＥ８０２．１１規格においてＭＡＣレイヤを高機能化したＩＥＥＥ８０
２．１１ｅ規格では、図９に示すように、一度データフレームの送信権を獲得した後、Ｔ
ＸＯＰ（Ｔｒａｎｓｍｉｓｓｉｏｎ  Ｏｐｐｏｒｔｕｎｉｔｙ）と呼ばれる期間、排他的
にチャネルを使用して連続的にデータフレームを送信することが可能とされている。
【００１２】
このＴＸＯＰの期間中は、任意の数のデータフレームをＳＩＦＳ間隔で連続して送信す
ることが可能とされている（例えば、非特許文献１。）。この非特許文献１に開示されて
いる技術では、データフレームを送信する毎に、データフレームの送信権を改めて獲得す
る必要が無いため、データフレームの送信権を獲得するためのオーバーヘッド（ＡＩＦＳ
（Ａｒｂｉｔｒａｔｉｏｎ  Ｓｈｏｒｔ  Ｉｎｔｅｒ  Ｆｒａｍｅ  Ｓｐａｃｅ）とバッ
クオフ期間）を削減することができ、スループットの改善やシステム容量の向上が実現で
きる。
【先行技術文献】
【特許文献】
【００１３】
【特許文献１】米国特許公開公報ＵＳ２００５／０１４７０２３
【非特許文献】
【００１４】
【非特許文献１】“Ｗｉｒｅｌｅｓｓ  ＬＡＮ  Ｍｅｄｉｕｍ  Ａｃｃｅｓｓ  Ｃｏｎｔｒｏｌ  （ＭＡＣ）  ａｎｄ  Ｐｈｙｓｉｃａｌ  Ｌａｙｅｒ  （ＰＨＹ）  ｓｐｅｃｉｆｉｃａｔｉｏｎｓ，  Ｍｅｄｉｕｍ  Ａｃｃｅｓｓ  Ｃｏｎｔｒｏｌ  （ＭＡＣ）  Ｑｕａｌｉｔｙ  ｏｆ  Ｓｅｒｖｉｃｅ  （ＱｏＳ）  Ｅｎｈａｎｃｅｍｅｎｔｓ，”  ＩＥＥＥ  Ｓｔｄ．  ８０２．１１ｅ−２００５．
【発明の概要】
【発明が解決しようとする課題】
【００１５】
上記のように、特許文献１で開示されている技術では、ＩＥＥＥ８０２．１１規格にお
いて、ＳＤＭ方式を採用した場合であっても、各無線端末から送達確認フレームが返信さ
れるタイミングを同期させることで、衝突の発生を抑制することができる。
【００１６】
しかしながら、非特許文献１で開示されている技術、即ちＩＥＥＥ８０２．１１ｅで規
定されているＴＸＯＰの期間中にデータフレームを連続して送信する技術において、ＳＤ
Ｍ方式を採用した場合、以下の問題が発生する。
【００１７】
まず、アクセスポイントは、同時かつ同一周波数で、ＴＸＯＰの期間中に連続してデー
タフレームを複数の無線端末に対して送信するものとする。アクセスポイントは、送信し
たデータフレームに対する送達確認フレームを受信した後、再度キャリアセンスを行なう
ことなく、ＳＩＦＳ経過後に次のデータフレームの送信を行う。
【００１８】
ここで、送達確認フレームの種別は複数有り、そのサイズも異なる。また、送達確認フ
レームがアクセスポイントへ伝送される際の伝送レートも、無線端末ごとに異なる。その
ため、たとえ、特許文献１に開示されている技術によって、複数の無線端末から送達確認
フレームが返信されるタイミングを同期させたとしても、各無線端末から返信される送達
確認フレームがアクセスポイントで受信完了するまでの時間（フレームの送達に要する時
間（以下、フレーム時間長と記載する））が異なる。
【００１９】
アクセスポイントは、送達確認フレームを受信した後ＳＩＦＳ経過後に次のデータフレ
ームの送信を行うものであるが、送達確認フレームの受信を完了するまでの時間が異なる
ため、それに伴って、次のデータフレームの送信を開始する時刻が異なる。
【００２０】
そのため、図１０（ａ）に示されるように、無線端末ＳＴＡ１からの送達確認フレーム
と、無線端末ＳＴＡ２からの送達確認フレームとの時間長の差が、ＳＩＦＳを超えている
場合、無線端末ＳＴＡ２からの送達確認フレームの受信中であるにもかかわらず、無線端
末ＳＴＡ１への次のデータフレームの送信を開始してしまい、衝突が発生してしまうとい
う問題があった。
【００２１】
また、一方で、図１０（ｂ）に示されるように、最も遅く送達確認フレームの受信を完
了した時刻から所定期間（ＳＩＦＳ）後に、次のデータフレームの送信を行なうこととす
ると、アクセスポイントに最も遅く受信された送達確認フレームを送信した無線端末（図
１０（ｂ）における無線端末ＳＴＡ２）にとっては、ＳＩＦＳだけチャネルが空いている
ように見えるが、アクセスポイントに最も遅く受信された送達確認フレームを送信した無
線端末以外の無線端末（図１０（ｂ）における無線端末ＳＴＡ１）にとっては、ＳＩＦＳ
以上の間、チャネルが空いているように見える。そのため、アクセスポイントがデータフ
レームの連続送信を行っている最中にもかかわらず、アクセスポイントに最も遅く受信さ
れた送達確認フレームを送信した無線端末以外の無線端末が、送信権を獲得してしまう恐
れがあった。
【００２２】
このような場合、アクセスポイントが連続して送信するデータフレームと、ＳＩＦＳ以
上チャネルが空いていることにより送信権を獲得できた無線端末が送信するデータフレー
ムと、が衝突してしまうため、アクセスポイントはＴＸＯＰの期間中データフレームをＳ
ＩＦＳ間隔で連続して送信することができないという問題があった。
【００２３】
以上のように、ＩＥＥＥ８０２．１１に準拠した無線ＬＡＮシステムにおいて、アクセ
スポイントが空間的に多重して複数の無線端末へ送信するとともに、ＴＸＯＰ期間中ＳＩ
ＦＳ間隔で連続してデータフレームを送信すると、ある無線端末へのデータフレームの送
信タイミングと、その他の無線端末からの送達確認フレームの受信タイミングとが重複し
、衝突が発生する恐れがあるという問題があった。
【００２４】
そのため、ＩＥＥＥ８０２．１１に準拠した無線ＬＡＮシステムにおいてＳＤＭ方式を
採用してデータフレームを空間的に多重して送信する際においては、ＴＸＯＰの概念（Ｔ
ＸＯＰ期間中にＳＩＦ間隔でデータフレームを連続して送信する技術）を適用することが
できないため、ＭＡＣ効率を向上できないという問題があった。
【００２５】
本発明は、上記問題点を解消するためになされたもので、複数の無線通信装置へ多重化
してデータフレームを送信する際であっても、ある無線端末へのデータフレームの送信タ
イミングと、その他の無線端末からの送達確認フレームの受信タイミングとが重複させる
ことなく、ＴＸＯＰの期間中にデータフレームを連続して送信することを可能とし、ＭＡ
Ｃ効率を向上させることができる無線通信装置、無線通信装置の制御方法、および無線通
信装置の制御プログラムを提供することを目的とする。
【課題を解決するための手段】
【００２６】
上記目的を達成するために、本発明の実施形態に係る無線通信装置は、第１データフレ
ームおよび第２データフレームを多重化して送信する送信手段と、前記第１データフレー
ムに対する第１送達確認フレームおよび前記第２データフレームに対する第２送達確認フ
レームを受信する受信手段と、前記送信手段を制御する制御手段とを備える。前記制御手
段は、前記第１送達確認フレームの受信を完了するタイミングと前記第２送達確認フレー
ムの受信を完了するタイミングとが同期するように、前記第１データフレームとその送信
方法および前記第２データフレームとその送信方法を制御する。
【図面の簡単な説明】
【００２７】
【図１】本発明の第１の実施形態に係る無線システムを示す図。
【図２】本発明の第１の実施形態に係るアクセスポイントの構成を示すブロック図。
【図３】本発明の第１の実施形態に係る制御部の構成を示すブロック図。
【図４】アクセスポイントと無線端末とで送受信されるフレームを示す図。
【図５】本発明の第１の実施形態に係る返信完了制御部の構成を示すブロック図。
【図６】アクセスポイントと複数の無線端末とで送受信されるフレームを示す図。
【図７】本発明の第２の実施形態に係るアクセスポイントの構成を示すブロック図。
【図８】本発明の第２の実施形態に係るアクセスポイントの構成を示すブロック図。
【図９】ＩＥＥＥ８０２．１１ｅ規格のＴＸＯＰの概念を示す図。
【図１０】アクセスポイントと複数の無線端末とで送受信されるフレームを示す図。
【発明を実施するための形態】
【００２８】
以下、本発明の実施形態について説明する。
【００２９】
（第１の実施形態）
図１は、第１の実施形態に係る無線システムを示す図である。無線システムは、ＩＥＥ
Ｅ８０２．１１ｅ（ＩＥＥＥ８０２．１１ａ，ＩＥＥＥ８０２．１１ｂ，ＩＥＥＥ８０２
．１１ｎ含む）規格に準拠する。無線システムでは、空間分割多重（ＳＤＭ：Ｓｐａｔｉ
ａｌ  Ｄｉｖｉｓｉｏｎ  Ｍｕｌｔｉｐｌｅｘｉｎｇ）方式が採用されている。
【００３０】
第１の実施形態に係る無線システムは、アクセスポイントＡＰと、無線端末ＳＴＡ１〜
ＳＴＡ３とを備える。アクセスポイントＡＰと無線端末ＳＴＡ１〜ＳＴＡ３との間では、
ＳＤＭ方式によって無線通信が行われる。アクセスポイントＡＰは、ＩＥＥＥ８０２．１
１ｅで規定されているように、ＴＸＯＰの期間中、データフレームを連続して送信する。
【００３１】
アクセスポイントＡＰは、アダプティブアレイアンテナを利用して、指向性を有する電
波（以下、指向性ビームと呼ぶ。）を形成する。アクセスポイントＡＰは、各無線端末Ｓ
ＴＡ１〜ＳＴＡ３へ送信する指向性ビームが、互いに干渉しないように、ビーム形成する
。アクセスポイントＡＰは、複数の無線端末ＳＴＡ１〜ＳＴＡ３へそれぞれ指向性ビーム
を形成し、同時に、かつ同一の周波数チャネルで、データフレームを空間的に多重化して
送信（以下、ＳＤＭ送信と呼ぶ）する。
【００３２】
なお、アクセスポイントＡＰが形成する指向性ビームの数、及びアクセスポイントＡＰ
がＳＤＭ方式によって同時に無線通信を行う無線端末の数は、２以上の任意の数で良い。
【００３３】
図２は、第１の実施形態に係るアクセスポイントＡＰの構成を示すブロック図である。
【００３４】
アクセスポイントＡＰは、アンテナ部１０と、送受信処理部２０と、ＭＡＣ処理部３０
と、制御部４０と、多重化部５０とを備える。
【００３５】
アンテナ部１０は、複数のアンテナ素子から構成されていて、指向性ビームを形成でき
る。
【００３６】
送受信処理部２０は、他無線端末からアンテナ部１０を介して受信した信号に対して、
復調処理などの受信処理を行う。送受信処理部２０は、他無線端末へ送信する送信信号に
対して、変調処理などの送信処理を行う。
【００３７】
ＭＡＣ処理部３０は、ＩＥＥＥ８０２．１１（ＩＥＥＥ８０２．１１ｅ含む）規格のＭ
ＡＣプロトコルに従い、ＭＡＣ層関連の処理を行う。
【００３８】
制御部４０は、ＳＤＭ方式によってデータフレームを送信する際の、データフレームの
制御および送信方法の制御を行う。
【００３９】
多重化部５０は、複数の無線端末に対して、同時に、かつ同一の周波数チャネルによっ
てデータフレームを送信するための処理、例えば、ウェイト行列の計算など指向性ビーム
形成のための処理（以下、多重化処理と呼ぶ）を行う。
【００４０】
なお、送受信処理部２０は、ＳＤＭ方式によって、複数の無線端末へのデータフレーム
の送信処理を同時に行い、複数の無線端末からのデータの受信処理を同時に行う。そのた
め、送受信処理部２０の送信処理および受信処理は、並列処理されることが好ましい。
【００４１】
また、図２で示したアクセスポイントＡＰは、ＳＤＭ送信するデータフレームに対して
、多重化部５０による処理のあと送受信処理部２０による送信処理が行われるものとした
が、逆に、送受信処理部２０による送信処理のあと多重化部５０による処理が行われても
良い。
【００４２】
次に、アクセスポイントＡＰがデータフレームを無線端末ＳＴＡ１〜ＳＴＡ３へＳＤＭ
送信する際の動作を説明する。
【００４３】
まず、上位レイヤ関連の処理において送信要求のあったデータフレームは、ＭＡＣ処理
部３０に内蔵される送信バッファ（図示せず）に記憶される。
【００４４】
次に、アクセスポイントＡＰは、ＩＥＥＥ８０２．１１規格のＭＡＣプロトコルに従い
キャリアセンスによって送信権を獲得する。
【００４５】
次に、制御部４０は、無線端末ＳＴＡ１〜ＳＴＡ３へＳＤＭ送信するデータフレームを
、ＭＡＣ処理部３０に内蔵される送信バッファから取り出し、各データフレームの送信方
法を決定する。
【００４６】
次に、多重化部５０は、制御部４０の制御に従い、データフレームに対して多重化処理
を行う。
【００４７】
次に、送受信処理部２０は、多重化処理されたデータフレームに対して、送信処理を行
う。
【００４８】
次に、アンテナ部１０から指向性ビームがそれぞれ無線端末ＳＴＡ１〜ＳＴＡ３へ送信
される。以上のようにして、アクセスポイントＡＰは、データフレームを無線端末ＳＴＡ
１〜ＳＴＡ３へＳＤＭ送信する。
【００４９】
次に、アクセスポイントＡＰは、データフレームを送信しＳＩＦＳ経過したあと、各無
線端末ＳＴＡ１〜ＳＴＡ３からの送達確認フレームの返信を確認する。
【００５０】
無線端末ＳＴＡ１〜ＳＴＡ３のそれぞれからの送達確認フレームの返信があった場合、
即ち、無線端末ＳＴＡ１〜ＳＴＡ３へのデータフレームのＳＤＭ送信が成功した場合、ア
クセスポイントＡＰは、送達確認フレームの受信が完了した後ＳＩＦＳ経過後に、キャリ
アセンスすることなく、連続して複数の無線端末ＳＴＡ１〜ＳＴＡ３に対してデータフレ
ームのＳＤＭ送信を行う。
【００５１】
なお、送達確認フレームの受信が完了した後ＳＩＦＳ経過後に、アクセスポイントＡＰ
が連続して送信するデータフレームは、無線端末ＳＴＡ１〜ＳＴＡ３へ送信するデータフ
レームであっても良いし、他の無線端末へ送信するデータであってもよい。
【００５２】
アクセスポイントＡＰは、送信権を獲得してからＴＸＯＰ期間が経過するまで、もしく
は、送信バッファに記憶されたすべてのデータフレームの送信が完了するまで、送達確認
フレームの受信が完了した後ＳＩＦＳ経過後に、連続してデータフレーム送信する。
【００５３】
一方、無線端末ＳＴＡ１〜ＳＴＡ３のすべてあるいは一部の無線端末からの送達確認フ
レームの返信がなかった場合、即ち、無線端末ＳＴＡ１〜ＳＴＡ３へのデータフレームの
ＳＤＭ送信が失敗した場合、アクセスポイントＡＰは、送達確認フレームを返信しなかっ
た無線端末に対してデータフレームの再送を行うとともに、送達確認フレームを返信して
きた無線端末に対して新たなデータフレームを送信する。
【００５４】
なお、アクセスポイントＡＰは、データフレームの再送を、新たなデータフレームの送
信よりも優先する。例えば、アクセスポイントＡＰが無線端末ＳＴＡ１〜ＳＴＡ３へデー
タフレームをＳＤＭ送信した場合であって、無線端末ＳＴＡ２、ＳＴＡ３からのみ送達確
認フレームを受信した場合には、アクセスポイントＡＰは、無線端末ＳＴＡ１に対して行
うデータフレームの再送と、無線端末ＳＴＡ２、ＳＴＡ３に対して行う新たなデータフレ
ームの送信とを、同時に、かつ同一の周波数チャネルによって（ＳＤＭ方式によって）行
う。
【００５５】
また、無線端末ＳＴＡ１〜ＳＴＡ３のすべてあるいは一部の無線端末からの送達確認フ
レームの返信がなかった場合、即ち、無線端末ＳＴＡ１〜ＳＴＡ３へのデータフレームの
ＳＤＭ送信が失敗した場合、アクセスポイントＡＰは、送達確認フレームを返信しなかっ
た無線端末に対してのみデータフレームの再送を行うことしてもよい。
【００５６】
例えば、アクセスポイントＡＰが無線端末ＳＴＡ１〜ＳＴＡ３へデータフレームをＳＤ
Ｍ送信した場合であって、無線端末ＳＴＡ２からのみ送達確認フレームを受信した場合に
は、アクセスポイントＡＰは、無線端末ＳＴＡ１、ＳＴＡ３に対して行うデータフレーム
の再送を、同時に、かつ同一の周波数チャネルによって（ＳＤＭ方式によって）行う。
【００５７】
図３は、制御部４０の構成を示すブロック図である。以下では、制御部４０の構成とあ
わせて、アクセスポイントＡＰが無線端末ＳＴＡ１〜ＳＴＡ３へデータフレームをＳＤＭ
送信する際の制御部４０の動作とを説明する。
【００５８】
制御部４０は、返信開始制御部４１と、返信完了制御部４２とを備える。
【００５９】
返信開始制御部４１は、データフレームを無線端末ＳＴＡ１〜ＳＴＡ３へＳＤＭ送信す
る際に、送信先の無線端末ＳＴＡ１〜ＳＴＡ３が送達確認フレームの返信を開始するタイ
ミング（以下、返信開始タイミングと呼ぶ）が同期するように、ＳＤＭ送信するデータフ
レームとその送信方法とを制御する。
【００６０】
返信開始制御部４１が行う制御方法は、ＳＤＭ送信の送信先である無線端末ＳＴＡ１〜
ＳＴＡ３からの返信開始タイミングが同期すればどのような方法でも良い。以下に、返信
開始制御部４１が行う制御方法を例示する。
【００６１】
（第１の制御方法例）返信開始制御部４１は、無線端末ＳＴＡ１〜ＳＴＡ３へＳＤＭ送
信するデータフレームのフレーム時間長を同一とする。
【００６２】
例えば、返信開始制御部４１は、無線端末ＳＴＡ１〜ＳＴＡ３へＳＤＭ送信するデータ
フレームのフレーム長を同一とし、かつ、無線端末ＳＴＡ１〜ＳＴＡ３へデータフレーム
をＳＤＭ送信する際の各伝送レートを同一とすることによって、無線端末ＳＴＡ１〜ＳＴ
Ａ３へＳＤＭ送信するデータフレームのフレーム時間長を同一とする。
【００６３】
また、例えば、返信開始制御部４１は、無線端末へＳＤＭ送信するデータフレームのフ
レーム長と、無線端末へそのデータフレームをＳＤＭ送信する際の伝送レートとの比を、
それぞれの無線端末ＳＴＡ１〜ＳＴＡ３において同一とすることによって、無線端末ＳＴ
Ａ１〜ＳＴＡ３へＳＤＭ送信するデータフレームのフレーム時間長を同一とする。
【００６４】
即ち、例えば、返信開始制御部４１は、無線端末ＳＴＡ１へＳＤＭ送信するデータフレ
ームのフレーム長を、無線端末ＳＴＡ２へＳＤＭ送信するデータフレームのフレーム長の
２倍とし、無線端末ＳＴＡ１へＳＤＭ送信する際の伝送レートを、無線端末ＳＴＡ２へＳ
ＤＭ送信する際の伝送レートの２倍とすることができる。
【００６５】
このようにすることで、返信開始制御部４１は、アクセスポイントＡＰから無線端末Ｓ
ＴＡ１〜ＳＴＡ３へＳＤＭ送信されたデータフレームの送信が完了するタイミング（以下
、送信完了タイミングと呼ぶ）を同期させる。各無線端末ＳＴＡ１〜ＳＴＡ３は、送信完
了タイミングからＳＩＦＳ経過後に、送達確認フレームの返信を開始する。よって、ＳＤ
Ｍ送信の送信先である無線端末ＳＴＡ１〜ＳＴＡ３からの返信開始タイミングが同期する
。
【００６６】
（第２の制御方法例）返信開始制御部４１は、無線端末ＳＴＡ１〜ＳＴＡ３へＳＤＭ送
信するデータフレームのフレーム時間長が異なる場合は、フレーム時間長が最も長いデー
タフレームの送信完了タイミングと、その他のデータフレームの送信完了タイミングとが
同期するように、フレーム時間長の差分だけ、その他のデータフレームの送信を開始する
タイミング（以下、送信開始タイミングと呼ぶ）を遅らせる。
【００６７】
このようにすることで、上記と同様に、データフレームの送信完了タイミングが同期し
、送達確認フレームの返信開始タイミングが同期する。
【００６８】
以上に記載した、データフレームの送信完了タイミング、および送達確認フレームの返
信開始タイミングの同期とは、必ずしも完全同期を意味するものではなく、複数の無線端
末からの送達確認フレームの返信開始タイミングのずれが、ＳＩＦＳ（１６μｓｅｃ）以
内であればよい。
【００６９】
ただし、３台以上の無線端末から送達確認フレームを受信する場合には、最も早く送達
確認フレームの受信を完了した返信完了タイミングと、最も遅く送達確認フレームの受信
を完了した返信完了タイミングとのずれが、ＳＩＦＳ（１６μｓｅｃ）以内である必要が
ある。
【００７０】
また、上記において、複数の無線端末からの送達確認フレームの返信開始タイミングの
ずれが、ＳＩＦＳ（１６μｓｅｃ）以内としたが、例えば、データフレームのプリアンブ
ルの時間長以内とすることができる。
【００７１】
返信完了制御部４２は、データフレームを無線端末ＳＴＡ１〜ＳＴＡ３へＳＤＭ送信す
る際に、送信先の無線端末ＳＴＡ１〜ＳＴＡ３からの送達確認フレームの返信が完了する
タイミング（以下、返信完了タイミングと呼ぶ）が同期するように、ＳＤＭ送信するデー
タフレームとその送信方法とを制御する。
【００７２】
返信完了制御部４２が行う制御方法は、ＳＤＭ送信の送信先である無線端末ＳＴＡ１〜
ＳＴＡ３からの送達確認フレームの返信完了タイミングが同期すればどのような方法でも
良い。なお、返信完了制御部４２が行う制御方法の詳細は、後述する。
【００７３】
このように、アクセスポイントＡＰでは、返信開始制御部４１がデータフレームのＳＤ
Ｍ送信先の無線端末ＳＴＡ１〜ＳＴＡ３から返信される送達確認フレームの返信開始タイ
ミングを同期させ、かつ、返信完了制御部４２がデータフレームの送信先の無線端末ＳＴ
Ａ１〜ＳＴＡ３から返信される送達確認フレームの返信完了タイミングを同期させる。
【００７４】
このようにすることで、アクセスポイントＡＰは、複数の無線端末ＳＴＡ１〜ＳＴＡ３
へデータフレームをＳＤＭ送信し、かつＴＸＯＰ期間中、キャリアセンスを行うことなく
データフレームを連続して送信したとしても、アクセスポイントＡＰによるデータフレー
ムの送信と、アクセスポイントＡＰによる送達確認フレームの受信とが、重複して行われ
ることを防止することができる。
【００７５】
そのため、アクセスポイントＡＰは、複数の無線端末ＳＴＡ１〜ＳＴＡ３へデータフレ
ームをＳＤＭ送信したとしても、ＩＥＥＥ８０２．１１ｅのＴＸＯＰの概念によって、送
達確認フレームを受信したあとＳＩＦＳ経過後、キャリアセンスを行うことなく、連続し
てデータフレームの送信することができ、ＭＡＣ効率を向上させることができる。
【００７６】
以上に記載した、データフレームの返信完了タイミングの同期とは、必ずしも完全同期
を意味するものではなく、複数の無線端末からの送達確認フレームの返信開始タイミング
のずれが、ＳＩＦＳ（１６μｓｅｃ）以内であればよい。
【００７７】
ただし、３台以上の無線端末から送達確認フレームを受信する場合には、最も早く送達
確認フレームの受信を完了した返信完了タイミングと、最も遅く送達確認フレームの受信
を完了した返信完了タイミングとのずれが、ＳＩＦＳ（１６μｓｅｃ）以内である必要が
ある。
【００７８】
また、上記において、複数の無線端末からの送達確認フレームの返信開始タイミングの
ずれが、ＳＩＦＳ（１６μｓｅｃ）以内としたが、例えば、データフレームのプリアンブ
ルの時間長以内とすることができる。
【００７９】
ここで、返信開始制御部４１と返信完了制御部４２との相違点を説明する。
【００８０】
返信開始制御部４１は、複数の無線端末から返信される送達確認フレームの返信開始タ
イミングを同期させるために、自ら複数の無線端末へ送信するデータフレームの送信完了
タイミングを同期させる。即ち、返信開始制御部４１は、自ら送信するデータフレームと
その送信方法の制御を行えばよく、送信先の無線端末を制御する必要がない。
【００８１】
一方、返信完了制御部４２では、複数の無線端末から返信される送達確認フレームの返
信完了タイミングを同期させるために、送信先の無線端末が送達確認フレームを返信する
際の返信方法を考慮して制御する必要がある。
【００８２】
次に、返信完了制御部４２の制御に関する事項について説明する。
【００８３】
まず、ＩＥＥＥ８０２．１１規格に準拠する無線システムでは、アクセスポイントおよ
び無線端末がフレームを受信したときに返信すべき送達確認フレームの種別は、受信した
フレーム種別に応じて異なる。
【００８４】
例えば、制御フレームの一種であるＲＴＳ（Ｒｅｑｕｅｓｔ  Ｔｏ  Ｓｅｎｄ）フレー
ムを受信した場合には、アクセスポイントおよび無線端末は、ＣＴＳ（Ｃｌｅａｒ  Ｔｏ
Ｓｅｎｄ）フレームを送達確認フレームとして返信する。
【００８５】
また例えば、データフレームを受信した場合には、アクセスポイントおよび無線端末は
、データフレームのＭＡＣヘッダ内に記載されたＡｃｋ  Ｐｏｌｉｃｙフィールドに応じ
て、送達確認フレームとしてＡＣＫフレームを返信するか、送達確認フレームとしてＢｌ
ｏｃｋ  ＡＣＫフレームを返信するか、送達確認フレームを返信しないかする。
【００８６】
ここで、データフレームを受信し、送達確認フレームとしてＢｌｏｃｋ  ＡＣＫフレー
ムを返信するとした場合であっても、Ｂｌｏｃｋ  ＡＣＫフレームには、複数の種別、即
ち、通常のＢｌｏｃｋ  ＡＣＫフレームや、Ｃｏｍｐｒｅｓｓｅｄ  Ｂｌｏｃｋ  ＡＣＫ
フレーム（ＩＥＥＥ８０２．１１ｎで定義）、Ｍｕｌｔｉ  ＴＩＤ  Ｂｌｏｃｋ  ＡＣＫ
フレーム（ＩＥＥＥ８０２．１１ｎで定義）がある。
【００８７】
このため、データフレームのＡｃｋ  ＰｏｌｉｃｙフィールドがＢｌｏｃｋ  Ａｃｋ  
Ｐｏｌｉｃｙである場合、アクセスポイントおよび無線端末は、通常のＢｌｏｃｋ  ＡＣ
Ｋフレーム、Ｃｏｍｐｒｅｓｓｅｄ  Ｂｌｏｃｋ  ＡＣＫフレーム、あるいは、Ｍｕｌｔ
ｉ  ＴＩＤ  Ｂｌｏｃｋ  ＡＣＫフレームのいずれかを、送達確認フレームとして返信す
る。
【００８８】
以上のように、アクセスポイントおよび無線端末がフレームを受信したときに返信すべ
き送達確認フレームの種別は、受信したフレーム種別に応じて異なる。
【００８９】
次に、送達確認フレームの種別ごとのフレームサイズを説明する。
【００９０】
ＩＥＥＥ８０２．１１規格で、ＣＴＳフレームやＡＣＫフレームのフレームサイズは１
４バイト長である。
【００９１】
ＩＥＥＥ８０２．１１ｎ規格で、通常のＢｌｏｃｋ  ＡＣＫフレームのフレームサイズ
は、１５２バイト長である。ＩＥＥＥ８０２．１１ｎ規格で、Ｃｏｍｐｒｅｓｓｅｄ  Ｂ
ｌｏｃｋ  ＡＣＫフレームのフレームサイズは、３２バイト長である。ＩＥＥＥ８０２．
１１ｎ規格で、Ｍｕｌｔｉ  ＴＩＤ  Ｂｌｏｃｋ  ＡＣＫフレームのフレームサイズは、
受信したデータフレームに含まれるＴｒａｆｆｉｃ  Ｉｄｅｎｔｉｆｉｅｒ（ＴＩＤ）の
数ｎ（ｎは２以上の整数）とすると、（２２＋１０ｎ）バイト長と可変長である。
【００９２】
このように、送達確認フレームの種別に応じて、送達確認フレームのフレームサイズは
異なる。
【００９３】
アクセスポイントＡＰは、複数の無線端末に対して異なるデータフレーム（例えば、Ｒ
ＴＳフレームやＢｌｏｃｋ  Ａｃｋ  Ｒｅｑｕｅｓｔフレーム等の制御フレーム、管理フ
レームを含む）をＳＤＭ送信した場合、複数の無線端末から異なる種別であって異なるフ
レームサイズの送達確認フレームを受信する。
【００９４】
たとえ、複数の無線端末から返信される送達確認フレームの返信開始タイミングを同期
させたとしても、それだけでは、複数の無線端末から返信される送達確認フレームのフレ
ームサイズが異なるため、送達確認フレームの返信完了タイミングは同期しない。
【００９５】
さらに、ＩＥＥＥ８０２．１１規格に準拠する無線システムでは、アクセスポイント、
無線端末でフレームが送受信される際の伝送レートが複数用意されている。
【００９６】
そのため、送達確認フレームの返信開始タイミングを同期させるのみでは、送達確認フ
レームの種別によってフレームサイズが異なるのみならず、各無線端末が送達確認フレー
ムを返信する際の伝送レートも異なるため、アクセスポイントＡＰが複数の無線端末から
返信される送達確認フレームの返信完了タイミングは同期しない。
【００９７】
図４は、複数の無線端末から返信される送達確認フレームの返信開始タイミングは同期
しているものの、送達確認フレームの返信完了タイミングが同期していない例を示す図で
ある。
【００９８】
図４（ａ）は、複数の無線端末ＳＴＡ１、ＳＴＡ２から送達確認フレームが返信される
際の伝送レートは２４Ｍｂｐｓで同一であるものの、無線端末ＳＴＡ１から返信される送
達確認フレームがＡｃｋフレーム（１４バイト長）であって、無線端末ＳＴＡ２から返信
される送達確認フレームがＢｌｏｃｋ  Ａｃｋフレーム（１５２バイト長）である場合を
示す。
【００９９】
図４（ｂ）は、複数の無線端末ＳＴＡ１、ＳＴＡ２から返信される送達確認フレームの
種別はＡＣＫフレームで同一であるものの、無線端末ＳＴＡ１から返信される際の伝送レ
ートが２４Ｍｂｐｓであって、無線端末ＳＴＡ２から返信される際の伝送レートが６Ｍｂ
ｐｓである場合を示す。
【０１００】
このように、複数の無線端末（図４（ａ）、（ｂ）の例では、無線端末ＳＴＡ１、ＳＴ
Ａ２）から返信される送達確認フレームの種別によってフレームサイズが異なるとの理由
、および、複数の無線端末から送達確認フレームが返信される際の伝送レートが異なると
の理由により、たとえ、複数の無線端末から返信される送達確認フレームの返信開始タイ
ミングが同期していたとしても、返信完了タイミングは同期しない。
【０１０１】
そのため、送達確認フレームの返信開始タイミングを同期させるのみでは、複数の無線
端末へデータフレームをＳＤＭ送信し、かつＴＸＯＰ期間中、キャリアセンスを行うこと
なくデータフレームを連続して送信すると、アクセスポイントＡＰによるデータフレーム
の送信と、アクセスポイントＡＰによる送達確認フレームの受信とが、重複して行われる
おそれがあり、衝突が発生してしまうおそれがある。
【０１０２】
即ち、アクセスポイントＡＰが、複数の無線端末へデータフレームをＳＤＭ送信し、か
つＴＸＯＰ期間中、キャリアセンスを行うことなくデータフレームを連続して送信するた
めには、複数の無線端末から返信される送達確認フレームの返信完了タイミングを同期さ
せることが重要である。
【０１０３】
返信完了制御部４２は、複数の無線端末へＳＤＭ送信するデータフレームとその送信方
法とを制御することで、各送信先の無線端末に意識させることなく、各送信先の無線端末
から返信される送達確認フレームとその返信方法とを制御する。即ち、返信完了制御部４
２は、複数の無線端末へＳＤＭ送信するデータフレームとその送信方法とを制御すること
で、各送信先の無線端末から返信される送達確認フレームの受信完了タイミングを同期さ
せる。
【０１０４】
図５は、返信完了制御部４２の構成を示すブロック図である。
【０１０５】
返信完了制御部４２は、伝送レート制御部４３と、種別制御部４４とを備える。種別制
御部４４は、ＢＡ制御部４５を有する。ＢＡ制御部４５は、ＴＩＤ数制御部４６を有する
。
【０１０６】
返信完了制御部４２が、各送信先の無線端末から返信される送達確認フレームの受信完
了タイミングを同期させる際には、まず、伝送レート制御部４３が、データフレームを複
数の無線端末へＳＤＭ送信するときの伝送レートを決定する。返信完了制御部４２の伝送
レート制御部４３は、伝送レートを決定した後、その伝送レートは、それぞれのデータフ
レームの時間長にも影響し、送達確認フレームの返信開始制御にも用いられるため、返信
開始制御部４１へ通知する。
【０１０７】
伝送レート制御部４３は、データフレームを複数の無線端末へＳＤＭ送信するときの伝
送レートを決定することによって、各無線端末から送達確認フレームを返信される際の伝
送レートを制御する。
【０１０８】
ＩＥＥＥ８０２．１１規格に準拠した無線システムでは、送達確認フレームを返信する
際の伝送レートは、Ｂａｓｉｃ  Ｒａｔｅ  Ｓｅｔで定められた複数の伝送レートの中か
ら、受信したデータフレームの伝送レート以下であって、かつ最も高い伝送レートとされ
る。
【０１０９】
例えば、無線システムにおいて、Ｂａｓｉｃ  Ｒａｔｅ  Ｓｅｔが｛６Ｍｂｐｓ，１２
Ｍｂｐｓ，２４Ｍｂｐｓ｝で定められているとする。
【０１１０】
（例１）無線端末ＳＴＡ１は、アクセスポイントＡＰからデータフレームを伝送レート
５４Ｍｂｐｓで受信した場合、無線端末ＳＴＡ１は、送達確認フレームを伝送レート２４
Ｍｂｐｓで返信する。
【０１１１】
（例２）無線端末ＳＴＡ１は、アクセスポイントＡＰからデータフレームを伝送レート
１８Ｍｂｐｓで受信した場合、無線端末ＳＴＡ１は、送達確認フレームを伝送レート１２
Ｍｂｐｓで返信する。
【０１１２】
伝送レート制御部４３は、上記ＩＥＥＥ８０２．１１規格に準拠した無線システムにお
ける送達確認フレーム返信時の伝送レート決定の仕組みを利用し、各無線端末から返信さ
れる送達確認フレームの伝送レートが同一の伝送レートになるように、データフレームを
複数の無線端末へＳＤＭ送信するときの伝送レートを決定する。
【０１１３】
伝送レート制御部４３は、Ｂａｓｉｃ  Ｒａｔｅ  Ｓｅｔで定められた複数の伝送レー
トの中の最も高速な伝送レート以上の伝送レートを、複数の無線端末へデータフレームを
ＳＤＭ送信するときの伝送レートとして決定する。
【０１１４】
伝送レート制御部４３は、Ｂａｓｉｃ  Ｒａｔｅ  Ｓｅｔで定められた複数の伝送レー
トの中の、最も高速な伝送レート以外の１つの伝送レートを第１伝送レートとし、
Ｂａｓｉｃ  Ｒａｔｅ  Ｓｅｔで定められた複数の伝送レートの中で第１伝送レートよ
りも高速な伝送レートのうち、最も低速な伝送レートを第２伝送レートとし、
第１伝送レート以上であって第２伝送レート未満の伝送レートを、複数の無線端末へデ
ータフレームをＳＤＭ送信するときの伝送レートとして決定する。このとき、送信先の複
数の無線端末からアクセスポイントＡＰへ、送達確認フレームが返信される際の伝送レー
トは、第１伝送レートとなる。
【０１１５】
例えば、伝送レート制御部４３は、Ｂａｓｉｃ  Ｒａｔｅ  Ｓｅｔが｛６Ｍｂｐｓ，１
２Ｍｂｐｓ，２４Ｍｂｐｓ｝である場合であって、各無線端末からアクセスポイントＡＰ
へ送達確認フレームを２４Ｍｂｐｓで返信させる場合、複数の無線端末へデータフレーム
をＳＤＭ送信するときの伝送レートを、２４Ｍｂｐｓ，３６Ｍｂｐｓ，４８Ｍｂｐｓ，５
４Ｍｂｐｓのいずれかから決定する。
【０１１６】
アクセスポイントＡＰが、複数の無線端末へ上記の伝送レート（２４Ｍｂｐｓ，３６Ｍ
ｂｐｓ，４８Ｍｂｐｓ，５４Ｍｂｐｓのいずれか）でデータフレームを送信すれば、送信
先の各無線端末から２４Ｍｂｐｓで送達確認フレームが返信される。
【０１１７】
そのため、たとえ、複数の無線端末へデータフレームをＳＤＭ送信する場合であって、
送信先の複数の無線端末から送達確認フレームが返信される際の伝送レートを同一とする
場合であっても、伝送レート制御部４３は、複数の無線端末へデータフレームをＳＤＭ送
信するときの伝送レートを、同一とする必要はなく、それぞれ上記の４種類の伝送レート
（２４Ｍｂｐｓ，３６Ｍｂｐｓ，４８Ｍｂｐｓ，５４Ｍｂｐｓのいずれか）の中から独立
に選択し決定することができる。
【０１１８】
さらに例えば、伝送レート制御部４３は、Ｂａｓｉｃ  Ｒａｔｅ  Ｓｅｔが｛６Ｍｂｐ
ｓ，１２Ｍｂｐｓ，２４Ｍｂｐｓ｝である場合であって、各無線端末からアクセスポイン
トＡＰへ送達確認フレームを６Ｍｂｐｓで返信させる場合、複数の無線端末へデータフレ
ームをＳＤＭ送信するときの伝送レートを、６Ｍｂｐｓ，９Ｍｂｐｓのいずれかから選択
し決定する。
【０１１９】
このように、アクセスポイントＡＰが複数の無線端末へデータフレームをＳＤＭ送信す
る際の伝送レートを、返信完了制御部４２の伝送レート制御部４３が制御することによっ
て、送信先の複数の無線端末へ意識させること無く、送信先の複数の無線端末が送達確認
フレームを返信する際の伝送レートを同一に制御することができる。
【０１２０】
返信完了制御部４２が各送信先の無線端末から返信される送達確認フレームの受信完了
タイミングを同期させる際には、伝送レート制御部４３が伝送レートを決定した後、次に
、種別制御部４４が複数の無線端末へＳＤＭ送信するデータフレームの種別を決定する。
【０１２１】
種別制御部４４は、複数の無線端末へＳＤＭ送信するデータフレーム（Ｂｌｏｃｋ  Ａ
ｃｋ  Ｒｅｑｕｅｓｔの制御フレーム含む）の種別を決定することによって、送信先の複
数の無線端末が返信する送達確認フレームの種別を制御する。
【０１２２】
種別制御部４４は、送信先の複数の無線端末から返信される送達確認フレームの種別を
同一、即ちフレームサイズを同一に制御する。以下では、種別制御部４４の制御方法を説
明する。
【０１２３】
まず、種別制御部４４は、複数の無線端末へＳＤＭ送信する各データフレームのＭＡＣ
ヘッダのＡｃｋ  Ｐｏｌｉｃｙフィールド（以下、各Ａｃｋ  Ｐｏｌｉｃｙ  フィールド
と呼ぶ）を決定する。
【０１２４】
種別制御部４４は、各Ａｃｋ  Ｐｏｌｉｃｙフィールドを、”Ｎｏｒｍａｌ  Ａｃｋ”
、”Ｂｌｏｃｋ  Ａｃｋ”、あるいは”Ｎｏ  Ａｃｋ”のいずれかに、統一して決定する
。ここで、複数の無線端末へＳＤＭ送信する各データフレームは、種別制御部４４によっ
て各Ａｃｋ  Ｐｏｌｉｃｙフィールドが統一できるようなデータフレームが、予め選択さ
れていても良い。
【０１２５】
種別制御部４４が、各Ａｃｋ  Ｐｏｌｉｃｙフィールドを、”Ｎｏｒｍａｌ  Ａｃｋ”
、”Ｂｌｏｃｋ  Ａｃｋ”、あるいは”Ｎｏ  Ａｃｋ”のいずれに統一して決定するかは
、どのような方法であっても良い。
【０１２６】
例えば、種別制御部４４は、送信する各データフレームのトラフィック種別や、送信先
の各無線端末、ＳＤＭ送信する各データフレームの組み合わせ、ＭＡＣ処理部３０の送信
バッファに記憶されているデータ量などに応じて、各Ａｃｋ  Ｐｏｌｉｃｙフィールドを
いずれに統一するかを決定する。
【０１２７】
このようにすることによって、アクセスポイントＡＰから各データフレームを受信した
各無線端末は、受信したデータフレームのＡｃｋ  Ｐｏｌｉｃｙフィールドに設定された
同一のＡｃｋ  Ｐｏｌｉｃｙに応じて、送達確認フレームを返信する。
【０１２８】
データフレームのＡｃｋ  Ｐｏｌｉｃｙフィールドに “Ｎｏｒｍａｌ  Ａｃｋ”が設
定されている場合は、無線端末は、アクセスポイントＡＰからデータフレームを受信した
あと、ＡＣＫフレームを送達確認フレームとして返信する。
【０１２９】
データフレームのＡｃｋ  Ｐｏｌｉｃｙフィールドに “Ｂｌｏｃｋ  Ａｃｋ”が設定
されている場合は、無線端末は、アクセスポイントＡＰからデータフレームに続いてＢｌ
ｏｃｋ  Ａｃｋ  Ｒｅｑｕｅｓｔフレームの受信したあと、Ｂｌｏｃｋ  ＡＣＫフレーム
を送達確認フレームとして返信する。
【０１３０】
データフレームのＡｃｋ  Ｐｏｌｉｃｙフィールドに “Ｂｌｏｃｋ  Ａｃｋ”が設定
されていて、データフレームがＡ（Ａｇｇｒｅｇａｔｅｄ）−ＭＰＤＵである場合は、無
線端末は、アクセスポイントＡＰからデータフレーム（Ａ−ＭＰＤＵ）を受信したあと、
Ｂｌｏｃｋ  ＡＣＫフレームを送達確認フレームとして返信する。
【０１３１】
データフレームのＡｃｋ  Ｐｏｌｉｃｙフィールドに “Ｎｏ  Ａｃｋ”が設定されて
いる場合は、無線端末は、送達確認フレームを返信しない。
【０１３２】
なお、上記の通り、種別制御部４４が各Ａｃｋ  Ｐｏｌｉｃｙフィールドを”Ｂｌｏｃ
ｋ  Ａｃｋ”に統一した場合、送信先の各無線端末からは送達確認フレームとしてＢｌｏ
ｃｋ  ＡＣＫフレームが返信されるものの、Ｂｌｏｃｋ  ＡＣＫフレームの種別は複数あ
る。
【０１３３】
そのため、種別制御部４４が各Ａｃｋ  Ｐｏｌｉｃｙフィールドを”Ｂｌｏｃｋ  Ａｃ
ｋ”に統一して決定した場合、更に、ＢＡ制御部４５が各無線端末から返信されるＢｌｏ
ｃｋ  ＡＣＫフレームの種別を同一にする制御を行う。
【０１３４】
ＢＡ制御部４５は、アクセスポイントＡＰからデータフレームを受信した各無線端末か
ら返信されるＢｌｏｃｋ  Ａｃｋフレームの種別を、通常のＢｌｏｃｋ  ＡＣＫフレーム
、Ｃｏｍｐｒｅｓｓｅｄ  Ｂｌｏｃｋ  ＡＣＫフレーム、あるいはＭｕｌｔｉ  ＴＩＤ  
Ｂｌｏｃｋ  ＡＣＫフレームのいずれかに統一する制御を行う。
【０１３５】
ＩＥＥＥ８０２．１１ｎ規格に準じると、アクセスポイントＡＰがデータフレーム（Ａ
−ＭＰＤＵ）を各無線端末へＳＤＭ送信した場合には、その各無線端末から返信される送
達確認フレームは、常にＣｏｍｐｒｅｓｓｅｄ  Ｂｌｏｃｋ  ＡＣＫフレームとなる。つ
まり、各無線端末へSDM送信するデータフレームをＢＡ制御部４５にてＡｇｇｒｅｇａｔ
ｅされたＡ−ＭＰＤＵフレームにて送信するように制御することで、各無線端末から返信
される送達確認フレームを、Ｃｏｍｐｒｅｓｓｅｄ  Ｂｌｏｃｋ  Ａｃｋフレームに制御
することができる。
【０１３６】
また、Ａ−ＭＰＤＵ以外の場合には、各無線端末は、基本的に、Ｂｌｏｃｋ  Ａｃｋ  
Ｒｅｑｕｅｓｔフレームを受信したあとに、アクセスポイントＡＰへ送達確認フレームを
返信する。そのため、アクセスポイントＡＰのＢＡ制御部４５は、Ｂｌｏｃｋ  Ａｃｋ  
Ｒｅｑｕｅｓｔフレームを各無線端末へ送信する際に、Ｂｌｏｃｋ  Ａｃｋ  Ｒｅｑｕｅ
ｓｔフレームのＭＡＣヘッダを使用して、いずれの種別のＢｌｏｃｋ  ＡＣＫフレームで
返信させるかをＩＥＥＥ８０２．１１規格の範疇において制御する。
【０１３７】
なお、Ｂｌｏｃｋ  Ａｃｋ  ＲｅｑｕｅｓｔフレームのＭＡＣヘッダを使用して、いず
れの種別のＢｌｏｃｋ  ＡＣＫフレームで返信を要求するかを指定することが可能である
。
【０１３８】
図６は、Ａｃｋ  Ｐｏｌｉｃｙフィールドが統一された場合の無線端末ＳＴＡ１、ＳＴ
Ａ２が送受信するフレームを示す図である。
【０１３９】
図６（ａ）は、アクセスポイントＡＰが無線端末ＳＴＡ１、ＳＴＡ２へ、Ａｃｋ  Ｐｏ
ｌｉｃｙフィールドが“Ｎｏｒｍａｌ  Ａｃｋ”のデータフレーム（Ｄｏｗｎ  Ｄａｔａ
）をＳＤＭ送信し、無線端末ＳＴＡ１、ＳＴＡ２から返信される送達確認フレームの種別
をＡＣＫフレームに統一した場合のフレームの送受信を示す図である。
【０１４０】
無線端末ＳＴＡ１、ＳＴＡ２は、アクセスポイントＡＰからデータフレーム（Ｄｏｗｎ
Ｄａｔａ）を受信した後ＳＩＦＳ経過後に、ＡＣＫフレームを送達確認フレームとして
返信する。
【０１４１】
図６（ｂ）は、アクセスポイントＡＰが無線端末ＳＴＡ１、ＳＴＡ２へ、Ａｃｋ  Ｐｏ
ｌｉｃｙフィールドが“Ｂｌｏｃｋ  Ａｃｋ”のデータフレーム（Ｄｏｗｎ  Ｄａｔａ）
をＳＤＭ送信し、続けてＢｌｏｃｋ  Ａｃｋ  Ｒｅｑｕｅｓｔを送信することによって、
無線端末ＳＴＡ１、ＳＴＡ２から返信される送達確認フレームの種別をＣｏｍｐｒｅｓｓ
ｅｄ  Ｂｌｏｃｋ  Ａｃｋフレームに統一した場合のフレームの送受信を示す図である。
【０１４２】
無線端末ＳＴＡ１、ＳＴＡ２は、アクセスポイントＡＰからＢｌｏｃｋ  Ａｃｋ  Ｒｅ
ｑｕｅｓｔを受信した後ＳＩＦＳ経過後に、Ｃｏｍｐｒｅｓｓｅｄ  Ｂｌｏｃｋ  Ａｃｋ
フレームを送達確認フレームとして返信する。
【０１４３】
ＢＡ制御部４５の制御方法は、複数の無線端末から返信されるＢｌｏｃｋ  Ａｃｋフレ
ームの種別が、それぞれ同一になるような方法であればどのようなものであっても良い。
【０１４４】
ただし、Ｃｏｍｐｒｅｓｓｅｄ  Ｂｌｏｃｋ  ＡＣＫフレーム及びＭｕｌｔｉ  ＴＩＤ
Ｂｌｏｃｋ  ＡＣＫフレームは、ＩＥＥＥ８０２．１１ｎ規格で新規に定義されたフレ
ームである。そのため、アクセスポイントＡＰがデータフレームをＳＤＭ送信する複数の
無線端末にＩＥＥＥ８０２．１１ｎ規格に未対応の無線端末が含まれている場合は、ＢＡ
制御部４５は、各無線端末から返信されるＢｌｏｃｋ  Ａｃｋフレームの種別を、通常の
Ｂｌｏｃｋ  ＡＣＫフレームで統一する。
【０１４５】
Ｃｏｍｐｒｅｓｓｅｄ  Ｂｌｏｃｋ  ＡＣＫフレームは、データフレームを複数に分割
するＦｒａｇｍｅｎｔ化を前提としていないデータフレームに対する送達確認フレームで
ある。そのため、ＢＡ制御部４５が各無線端末からのＢｌｏｃｋ  Ａｃｋフレームの種別
をＣｏｍｐｒｅｓｓｅｄ  Ｂｌｏｃｋ  ＡＣＫフレームに統一するように制御した場合、
アクセスポイントＡＰから各無線端末へＳＤＭ送信されるデータフレームは、Ｆｒａｇｍ
ｅｎｔ化されない。
【０１４６】
次に、アクセスポイントＡＰが複数の無線端末へ、Ａｃｋ  Ｐｏｌｉｃｙフィールドが
“Ｂｌｏｃｋ  Ａｃｋ”のデータフレームをＳＤＭ送信した際に、ＢＡ制御部４５が各無
線端末から返信される送達確認フレームの種別をＭｕｌｔｉ  ＴＩＤ  Ｂｌｏｃｋ  Ａｃ
ｋフレームに統一する場合について、説明する。
【０１４７】
ＢＡ制御部４５が、各無線端末から返信される送達確認フレームの種別をＭｕｌｔｉ  
ＴＩＤ  Ｂｌｏｃｋ  Ａｃｋフレームに統一する場合、更に、ＴＩＤ数制御部４６が、各
無線端末から返信されるＭｕｌｔｉ  ＴＩＤ  Ｂｌｏｃｋ  ＡＣＫフレームのＴＩＤ数を
同一にする制御を行う。
【０１４８】
なお、本ＴＩＤ数の制御もＢｌｏｃｋ  ＡＣＫフレームの種類と同様に、Ｂｌｏｃｋ  
Ａｃｋ  Ｒｅｑｕｅｓｔ等ＩＥＥＥ８０２．１１無線ＬＡＮの規格の範疇にてＳＤＭ送信
するデータフレームを制御することで指定可能である。
【０１４９】
以上のように、アクセスポイントＡＰが複数の無線端末へデータフレームをＳＤＭ送信
する際に、各無線端末へのデータフレームの送信が完了するタイミング同期させるのみな
らず、各無線端末へ送信するデータフレームの種別や、データフレームを送信する際の伝
送レート、データフレームのＭＡＣヘッダのＭａｃ  Ｐｏｌｉｃｙフィールド、Ｂｌｏｃ
ｋ  Ａｃｋ  Ｒｅｑｕｅｓｔで要求するＢｌｏｃｋ  Ａｃｋフレームの種別およびＭｕｌ
ｔｉ  ＴＩＤ  Ｂｌｏｃｋ  ＡＣＫフレームのＴＩＤ数など、を制御することによって、
各無線端末に特別な処理を要求することなく、各無線端末からの送達確認フレームの返信
が完了するタイミングを同期させることができる。
【０１５０】
このように、第１の実施形態に係る無線システムでは、アクセスポイントＡＰが複数の
無線端末へデータフレームをＳＤＭ送信したときに、その複数の無線端末から返信される
送達確認フレームの受信完了タイミングの同期を計ることが可能になる。そのため、たと
え、アクセスポイントＡＰが、複数の無線端末に対してＳＤＭ方式によって同時に、かつ
同一の周波数チャネルを使用して、データフレームを送信しながら、かつ、ＩＥＥＥ８０
２．１１ｅ規格で規定されるＴＸＯＰの概念を使用したデータフレームの連続送信を行っ
たとしても、アクセスポイントＡＰがデータフレームの送信タイミングと、アクセスポイ
ントＡＰが送達確認フレームを受信するタイミングが重複し衝突が発生することを防止す
ることができる。よって、第１の実施形態に係るアクセスポイントＡＰは、複数の無線端
末へデータフレームをＳＤＭ送信しながら、ＴＸＯＰの概念を使用し、キャリアセンスを
行うことなく連続したデータフレームを送信することができ、ＭＡＣ効率の向上を実現で
きる。
【０１５１】
第１の実施形態に係る無線システムでは、各無線端末は、ＩＥＥＥ８０２．１１（ＩＥ
ＥＥ８０２．１１ｅ，ＩＥＥＥ８０２．１１ｎ含む）規格に準拠して、アクセスポイント
ＡＰからＳＤＭ送信されたデータフレームを受信したあとＳＩＦＳ経過後に送達確認フレ
ームを送信するだけで、アクセスポイントＡＰは、同時に、かつ同一周波数チャネルでデ
ータフレーム送信したにもかかわらず、各無線通信端末から返信される送達確認フレーム
の受信完了時間を同期させることができる。
【０１５２】
第１の実施形態に係る無線システムでは、アクセスポイントＡＰが、複数の無線端末へ
データフレームをＳＤＭ送信する際に、そのデータフレームと送信方法とを制御するだけ
で、各無線端末に対してなんら特別な情報を通知することがないため、各無線端末は何ら
新たな処理部の追加等を必要としない。
【０１５３】
第１の実施形態に係る無線システムでは、アクセスポイントＡＰが、ＩＥＥＥ８０２．
１１規格を有効に活用した制御を行い、その制御に従って、データフレームを複数の無線
端末へ送信することによって、各無線端末に何ら意識させることなく、所望の送達確認フ
レームの返信させることを可能とし、各無線通信端末から返信される送達確認フレームの
受信完了タイミングを同期させることが可能となる。
【０１５４】
なお、第１の実施形態において、アクセスポイントＡＰが複数の無線端末に対してデー
タフレーム同時に送信する（多重化して送信する）際に、ＳＤＭ方式を採用するものとし
、同時に、かつ同一の周波数チャネルを使用して、データフレームを送信するものとして
説明した。
【０１５５】
しかし、第１の実施形態において、アクセスポイントＡＰは、複数の無線端末に対して
データフレームを多重化して送信する際に、ＳＤＭ方式以外の多重方式、例えば、ＦＤＭ
（Ｆｒｅｑｕｅｎｃｙ  Ｄｉｖｉｓｉｏｎ  Ｍｕｌｔｉｐｌｅｘｉｎｇ）方式やＣＤＭ（
Ｃｏｄｅ  Ｄｉｖｉｓｉｏｎ  Ｍｕｌｔｉｐｌｅｘｉｎｇ）方式を採用することができる
。
【０１５６】
このようにすることで、複数の無線端末に対してデータフレームを多重化して送信しな
がら、ＴＸＯＰの概念を使用し、キャリアセンスを行うことなく連続したデータフレーム
を送信することができ、ＭＡＣ効率の向上を実現できる。
【０１５７】
なお、このアクセスポイントＡＰは、例えば、汎用のコンピュータ装置を基本ハードウ
ェアとして用いることでも実現することが可能である。すなわち、ＭＡＣ処理部３０、制
御部４０（返信開始制御部４１、返信完了制御部４２、伝送レート制御部４３、種別制御
部４４、ＢＡ制御部４５、およびＴＩＤ数制御部４６を含む）、および多重化部５０は、
上記のコンピュータ装置に搭載されたプロセッサにプログラムを実行させることにより実
現することができる。このとき、アクセスポイントＡＰは、上記のプログラムをコンピュ
ータ装置にあらかじめインストールすることで実現してもよいし、ＣＤ−ＲＯＭなどの記
憶媒体に記憶して、あるいはネットワークを介して上記のプログラムを配布して、このプ
ログラムをコンピュータ装置に適宜インストールすることで実現してもよい。また、ＭＡ
Ｃ制御部４０の送信バッファ（図示せず）は、上記のコンピュータ装置に内蔵あるいは外
付けされたメモリ、ハードディスクもしくはＣＤ−Ｒ、ＣＤ−ＲＷ、ＤＶＤ−ＲＡＭ、Ｄ
ＶＤ−Ｒなどの記憶媒体などを適宜利用して実現することができる。
【０１５８】
（第２の実施の形態）
第１の実施の形態に係る無線システムでは、アクセスポイントＡＰが複数の無線端末へ
データフレームをＳＤＭ送信する際に、アクセスポイントＡＰがデータフレームとその送
信方法とを制御することによって、各無線端末に何ら意識させることなく、各無線端末か
ら返信される送達確認フレームの受信完了タイミングを同期させることを可能とする。
【０１５９】
第２の実施形態に係る無線システムでは、アクセスポイントＡＰが各無線端末に対して
、明示的に送達確認フレームの返信方法の指定することによって、各無線端末から返信さ
れる送達確認フレームの受信完了タイミングを同期させることを可能とする。
【０１６０】
第２の実施形態に係る無線システムでは、送達確認フレームの返信方法を明示的に指示
するため、アクセスポイントＡＰが複数の無線端末へデータフレームをＳＤＭ送信する際
に、どのようなデータフレームを、どのような送信方法で送信するかを、制約なく自由に
決定することができる。
【０１６１】
図７は、第２の実施形態に係るアクセスポイントＡＰの構成を示すブロック図である。
【０１６２】
第２の実施形態に係るアクセスポイントＡＰの構成は、第１の実施形態に係るアクセス
ポイントＡＰと比較して、制御部１４０の動作が異なる。なお、第２の実施形態に係る制
御部１４０は、第１の実施形態に係る返信開始制御部４１と同等の機能を有するものとす
る。
【０１６３】
制御部１４０は、アクセスポイントＡＰが複数の無線端末へデータフレームをＳＤＭ送
信する際に、あるいは、アクセスポイントＡＰが複数の無線端末へデータフレームをＳＤ
Ｍ送信する前に（事前に）、その複数の無線端末から返信された送達確認フレームの返信
完了タイミングが同期するように、各無線端末の送達確認フレームの返信方法を決定する
。制御部１４０は、アクセスポイントＡＰがＳＤＭ送信するデータフレームごとに、送達
確認フレームの返信方法、例えば、伝送レートやＡｃｋ  Ｐｏｌｉｃｙ等を決定する。
【０１６４】
アクセスポイントＡＰは、制御部１４０によって決定された送達確認フレームの返信方
法を、各無線端末へ通知し、各無線端末から返信される送達確認フレームの返信完了タイ
ミングを同期させる。
【０１６５】
なお、アクセスポイントＡＰは、複数の無線端末へデータフレームをＳＤＭ送信する際
に、送達確認フレームの返信方法を各無線端末へ通知しても良い。また、アクセスポイン
トＡＰは、複数の無線端末へデータフレームをＳＤＭ送信する前にまえもって（Ａｓｓｏ
ｃｉａｔｉｏｎ時など）送達確認フレームの返信方法を各無線端末へ通知しても良い。さ
らにまた、アクセスポイントＡＰは、定期的に送達確認フレームの返信方法を各無線端末
へ通知しても良い。
【０１６６】
第２の実施形態に係る無線システムでは、アクセスポイントＡＰは複数の無線端末へデ
ータフレームをＳＤＭ送信する際に、各無線端末に対して、明示的に送達確認フレームの
返信方法を通知する。各無線端末は、アクセスポイントＡＰから通知された返信方法に従
って、送達確認フレームを返信する。このようにアクセスポイントＡＰと各無線端末が動
作することで、送達確認フレームの受信完了タイミングを同期させる。
【０１６７】
以下では、アクセスポイントＡＰが各無線端末へ明示的に“送達確認フレームの返信方
法”を通知する方法の３つの例を説明する。
【０１６８】
第１の通知方法では、アクセスポイントＡＰは、複数の無線端末へデータフレームをＳ
ＤＭ送信する都度、送信する各データフレームのＭＡＣヘッダフィールドに、“送達確認
フレームの返信方法”を記載し、そのデータフレームをＳＤＭ送信する。なお、現在のＩ
ＥＥＥ８０２．１１規格では、データフレームのＭＡＣヘッダに、“送達確認フレームの
返信方法”を記載するフィールドは定義されていないため、今後策定される規格で定義す
ることとする。
【０１６９】
第２の通知方法では、アクセスポイントＡＰは、ネットワーク開始時、あるいはネット
ワーク開設中に同一ネットワークに接続する無線端末へ、“送達確認フレームの返信方法
”を通知する。このとき、アクセスポイントＡＰは、Ｂｒｏａｄｃａｓｔフレーム（たと
えば、ＢｅａｃｏｎフレームやＰｒｏｂｅ  Ｒｅｓｐｏｎｓｅフレームなどの報知フレー
ム）に、“送達確認フレームの返信方法”を記載して、同一ネットワーク内に接続するす
べての無線端末へ送信する。
【０１７０】
第３の通知方法では、アクセスポイントＡＰは、ネットワーク開始時、あるいはネット
ワーク開設中に同一ネットワークに接続する無線端末へ、Ｍｕｌｔｉｃａｓｔフレームを
用いて、それぞれ、複数の無線端末からなるグループごとに、“送達確認フレームの返信
方法”の事前通知を行う。
【０１７１】
第２の通知方法で説明したとおり、Ｂｒｏａｄｃａｓｔフレームを用いて“送達確認フ
レームの返信方法”を事前通知する場合は、アクセスポイントＡＰは、ネットワークに接
続するすべての無線端末に、同一の“送達確認フレームの返信方法”を指定することがで
きる。
【０１７２】
第３の通知方法で説明したとおり、Ｍｕｌｔｉｃａｓｔフレームを用いて“送達確認フ
レームの返信方法”を事前通知する場合は、アクセスポイントＡＰは、一度にデータフレ
ームをＳＤＭ送信する複数の無線端末のグループ（以下、ＳＤＭグルーピングと呼ぶ）ご
とに、“送達確認フレームの返信方法”を指定することができる。
【０１７３】
第３の通知方法（Ｍｕｌｔｉｃａｓｔフレームを用いた事前通知）の方が、アクセスポ
イントＡＰは、ＳＤＭグルーピング毎に、送達確認フレームの返信方法を指定できるため
、臨機応変な制御が可能である。なお、第３の通知方法では、ＳＤＭグルーピングが変更
になるたびに、アクセスポイントＡＰは、“送達確認フレームの返信方法”を通知する必
要がある。
【０１７４】
なお、図７で示すアクセスポイントＡＰの構成は、アクセスポイントＡＰが第１の通知
方法（さらに第２、第３の通知方法を採用していても良い）によって“送達確認フレーム
の返信方法”を各無線端末へ通知する方法を採用した場合の構成である。
【０１７５】
第１の通知方法を採用せず、第２、第３の通知方法によって、“送達確認フレームの返
信方法”を各無線端末へ通知する方法を採用した場合は、アクセスポイントＡＰの構成は
、制御部１４０と多重化部５０が直接接続される必要はなく、たとえば、図８に示す構成
であっても良い。
【０１７６】
次に、アクセスポイントＡＰが各無線端末から返信される送達確認フレームの返信完了
タイミングが同期するように、各無線端末に対して“送達確認フレームの返信方法”を通
知する際の、制御部１４０の動作を説明する。
【０１７７】
制御部１４０は、送達確認フレームの種別と、送達確認フレームを返信する際の伝送レ
ートとを決定する。なお、送達確認フレームの種別と、送達確認フレームを返信する際の
伝送レートとについては、第１の実施形態で説明した。
【０１７８】
例えば、第１の通知方法では、制御部１４０は、アクセスポイントＡＰが複数の無線端
末へＳＤＭ送信するデータフレームに対して、そのデータフレームのＭＡＣヘッダフィー
ルドに、｛送達確認フレーム＝ＡＣＫフレーム，送達確認フレームの伝送レート＝２４Ｍ
ｂｐｓ｝と記載する。
【０１７９】
また例えば、第２、第３の通知方法では、制御部１４０は、アクセスポイントＡＰが送
信するＢｒｏａｄｃａｓｔフレームやＭｕｌｔｉｃａｓｔフレームに、｛送達確認フレー
ム＝Ｂｌｏｃｋ  ＡＣＫフレーム，送達確認フレームの伝送レート＝９Ｍｂｐｓ｝と記載
する。
【０１８０】
このように、制御部１４０が、各無線端末から返信される送達確認フレームの種別と、
その送達確認フレームを返信する際の伝送レートを、無線端末ごと、あるいはＳＤＭグル
ーピングごと、ネットワークごとに、明示的に通知して制御することで、アクセスポイン
トＡＰが各無線端末へデータフレームをＳＤＭ送信する際に、そのデータフレームの種別
や、そのデータフレームを送信する際の伝送レートを、独立に選択・設定することができ
る。
【０１８１】
このように、第２の実施形態にかかる無線システムでは、アクセスポイントＡＰから各
無線端末へ明示的に送達確認フレームの返信方法を通知することで、アクセスポイントＡ
Ｐが複数の無線端末へデータフレームをＳＤＭ送信したときに、その複数の無線端末から
返信される送達確認フレームの受信完了タイミングの同期を計ることが可能になる。
【０１８２】
そのため、たとえ、アクセスポイントＡＰが、複数の無線端末に対してＳＤＭ方式によ
って同時に、かつ同一の周波数チャネルを使用して、データフレームを送信しながら、か
つ、ＩＥＥＥ８０２．１１ｅ規格で規定されるＴＸＯＰの概念を使用したデータフレーム
の連続送信を行ったとしても、アクセスポイントＡＰがデータフレームの送信タイミング
と、アクセスポイントＡＰが送達確認フレームを受信するタイミングが重複し衝突が発生
することを防止することができる。
【０１８３】
よって、第２の実施形態に係るアクセスポイントＡＰは、複数の無線端末へデータフレ
ームをＳＤＭ送信しながら、ＴＸＯＰの概念を使用し、キャリアセンスを行うことなく連
続したデータフレームを送信することができ、ＭＡＣ効率の向上を実現できる。
【０１８４】
なお、ＩＥＥＥ８０２．１１ｎ規格では、各アクセスポイントＡＰおよび各無線端末が
、ＨＴ  Ｃｏｎｔｒｏｌフィールドと呼ばれる３２バイトのフィールドがフレームの種別
（送達確認フレームを含む）に関係なくフレームに付加することが可能とされている。
【０１８５】
即ち、ＩＥＥＥ８０２．１１ｎ規格では、各無線端末は、アクセスポイントＡＰへ返信
する送達確認フレームに、ＨＴ  Ｃｏｎｔｒｏｌフィールドを付加するか否かを任意に決
定することができてしまう。
【０１８６】
そのため、アクセスポイントＡＰが各無線端末から返信される送達確認フレームの種別
および送達確認フレームを返信する際の伝送レートを指定したとしても、各無線端末から
返信される送達確認フレームの返信完了タイミングが同期しない恐れがある。
【０１８７】
そこで、第２の実施形態に係るアクセスポイントＡＰの制御部１４０は、ＩＥＥＥ８０
２．１１ｎ規格に準拠するネットワークでは、送達確認フレームの種別と、その送達確認
フレームを返信する際の伝送レートとの他に、送達確認フレームにＨＴ  Ｃｏｎｔｒｏｌ
フィールドの付加の禁止、あるいは、ＨＴ  Ｃｏｎｔｒｏｌフィールドを常に付加する通
知を行っても良い。
【０１８８】
このようにすることで、たとえ、無線システムがＩＥＥＥ８０２．１１ｎ規格に準拠し
ていて、各無線端末が送達確認フレームに任意にＨＴ  Ｃｏｎｔｒｏｌフィールの付加が
可能であったとしても、各無線端末からアクセスポイントＡＰへ返信される送達確認フレ
ームの返信完了タイミングを同期させることができる。
【０１８９】
上記、第２の実施形態に係る制御部１４０は、第１の実施形態に係る返信開始制御部４
１と同等の機能を有するものとした。
【０１９０】
しかし、第２の実施形態に係る制御部１４０は、各無線端末から返信される送達確認フ
レームの種別と、その送達確認フレームを返信する際の伝送レートと、ＨＴ  Ｃｏｎｔｒ
ｏｌフィールドの付加の有無との他に、第１の実施形態に係る返信開始制御部４１と同等
の機能を有する代わりに、各無線端末へ、明示的に、送達確認フレームの返信開始タイミ
ングを通知することとしてもよい。
【０１９１】
また、上記、第２の実施形態に係る制御部１４０は、各無線端末から返信される送達確
認フレームの種別と、その送達確認フレームを返信する際の伝送レートと、ＨＴ  Ｃｏｎ
ｔｒｏｌフィールドの付加の有無とを、明示的に各無線端末へ通知することで、各無線端
末からの送達確認フレームの返信完了タイミングを同期させるものとした。
【０１９２】
しかし、第２の実施形態に係る制御部１４０は、上記を明示的に通知する代わりに、各
無線端末へ、明示的に、送達確認フレームの返信完了タイミングを通知することとしても
よい。
【０１９３】
ここで、送達確認フレームの返信完了タイミングを明示的に通知された各無線端末は、
アクセスポイントＡＰから通知された送達確認フレームの返信完了タイミングと、実際に
自身が返信する送達確認フレームの返信完了タイミングと、を合わせるように制御する。
【０１９４】
このようにすることで、アクセスポイントＡＰがデータフレームを複数の無線端末へＳ
ＤＭ送信した場合であっても、各無線端末から返信される送達確認フレームの返信加療タ
イミングを同期させることができる。
【０１９５】
ここで、各無線端末は返信する送達確認フレームの返信完了タイミングが、アクセスポ
イントＡＰから通知された返信完了タイミングと同期さえしていれば、どのような種別の
送達確認フレームを送信しても、その送達確認フレームをどのような返信方法（例えば、
伝送レート、送達確認フレームの返信開始タイミングなど）で返信しても良い。
【０１９６】
なお、第２の実施形態に係る無線システムで、第１の実施形態に係る無線システムと同
様に、アクセスポイントＡＰは、複数の無線端末に対してデータフレームを多重化して送
信する際に、ＳＤＭ方式以外の多重方式、例えば、ＦＤＭ（Ｆｒｅｑｕｅｎｃｙ  Ｄｉｖ
ｉｓｉｏｎ  Ｍｕｌｔｉｐｌｅｘｉｎｇ）方式やＣＤＭ（Ｃｏｄｅ  Ｄｉｖｉｓｉｏｎ  
Ｍｕｌｔｉｐｌｅｘｉｎｇ）方式を採用することができる。
【０１９７】
なお、本発明は上記実施形態そのままに限定されるものではなく、実施段階ではその要
旨を逸脱しない範囲で構成要素を変形して具体化できる。また、上記実施形態に開示され
ている複数の構成要素の適宜な組み合わせにより、種々の発明を形成できる。例えば、実
施形態に示される全構成要素から幾つかの構成要素を削除してもよい。さらに、異なる実
施形態にわたる構成要素を適宜組み合わせてもよい。
【符号の説明】
【０１９８】
ＡＰ・・・アクセスポイント
ＳＴＡ１、ＳＴＡ２、ＳＴＡ３・・・無線端末
１０・・・アンテナ部
２０・・・送受信処理部
３０・・・ＭＡＣ処理部
４０、１４０、２４０・・・制御部
４１・・・返信開始制御部
４２・・・返信完了制御部
４３・・・伝送レート制御部
４４・・・種別制御部
４５・・・ＢＡ制御部
４６・・・ＴＩＤ数制御部
【図１】
2015057918.tif 000003
【図２】
2015057918.tif 000004
【図３】
2015057918.tif 000005
【図４】
2015057918.tif 000006
【図５】
2015057918.tif 000007
【図６】
2015057918.tif 000008
【図７】
2015057918.tif 000009
【図８】
2015057918.tif 000010
【図９】
2015057918.tif 000011
【図１０】
2015057918.tif 000012